(57)【要約】【課題】凹部に複数の保護チューブを差し込んだときに、把持力を維持する。【解決手段】光ケーブルの端部を固定する第１固定部と、前記光ケーブルから分岐した光ファイバを保護する保護チューブを固定する第２固定部と、を備え、前記第２固定部は、複数段に並べた前記保護チューブを把持する把持用プレートを有し、前記把持用プレートには、複数の突出部を有する凹部が形成されており、前記凹部に複数本の前記保護チューブを並べて差し込んだとき、前記突出部が各段の前記保護チューブをそれぞれ把持し、前記把持用プレートは、前記保護チューブの長手方向に並ぶ複数枚のプレートから構成されており、各段の前記保護チューブを把持する前記突出部は、それぞれ別のプレートに形成されている。【選択図】図４
2019139015.tif 000002
【特許請求の範囲】
【請求項１】
光ケーブルの端部を固定する第１固定部と、
前記光ケーブルから分岐した光ファイバを保護する保護チューブを固定する第２固定部と、
を備え、
前記第２固定部は、複数段に並べた前記保護チューブを把持する把持用プレートを有し、
前記把持用プレートには、複数の突出部を有する凹部が形成されており、前記凹部に複数本の前記保護チューブを並べて差し込んだとき、前記突出部が各段の前記保護チューブをそれぞれ把持し、
前記把持用プレートは、前記保護チューブの長手方向に並ぶ複数枚のプレートから構成されており、
各段の前記保護チューブを把持する前記突出部は、それぞれ別のプレートに形成されている、
ことを特徴とする分岐部材。
【請求項２】
請求項１に記載の分岐部材であって、
前記把持用プレートには、前記長手方向及び各段の前記保護チューブが並ぶ方向と直交する方向に、前記凹部が複数形成されており、
前記第２固定部は、複数の前記凹部に対応して、前記保護チューブの把持部を仕切る複数の隔壁部を有し、
各々の前記隔壁部には前記把持用プレートを収容するプレート収容部が設けられており、
前記プレート収容部の前記長手方向の位置が、前記隔壁部によって異なる
ことを特徴とする分岐部材。
【請求項３】
請求項１又は２に記載の分岐部材であって、
前記第１固定部は、
Ｖ字状のケーブル受け部と、
前記ケーブル受け部に設けられたプレート取り付け部と、
前記プレート取り付け部に収容された鋸歯つきプレートと、
を備え、
前記ケーブル受け部から前記鋸歯つきプレートの鋸歯が突出している、
ことを特徴とする分岐部材。
【請求項４】
請求項１〜３の何れかに記載の分岐部材であって、
前記第１固定部及び前記第２固定部が設けられた本体部と、前記本体部を覆う蓋部とを備え、
前記本体部は、
前記第１固定部と前記第２固定部の間に、前記光ケーブルから分岐した光ファイバを収容する収容部を有し、
前記蓋部は、
前記収容部に接着剤を注入するための注入口と、
前記注入口に設けられ、前記蓋部の外側から内側への前記接着剤の流入のみを許容する逆止弁と、
を有することを特徴とする分岐部材。
【請求項５】
請求項４に記載の分岐部材であって、
前記注入口に挿入される挿入部を有するキャップを備え、
前記注入口は多角形であり、前記キャップの前記挿入部は断面円形である
ことを特徴とする分岐部材。
【請求項６】
請求項４又は５に記載の分岐部材であって、
前記蓋部は、半透明又は透明である、
ことを特徴とする分岐部材。
【発明の詳細な説明】
【技術分野】
【０００１】
本開示は、分岐部材に関する。
【背景技術】
【０００２】
例えば、光ファイバケーブル（以下、光ケーブルともいう）から延出する複数の光ファイバは、接続対象となる端末機器等に接続される。このような光ケーブルには、多数の光ファイバが収容されているので、例えば、端末機器が設置された建屋まで光ケーブルを敷設し、建屋内で光ケーブルから光ファイバを分岐することがある。
【０００３】
光ケーブルから複数の光ファイバを分岐する分岐部材として、光ケーブルの端部を取り入れる取入口と、光ケーブルから分岐された光ファイバを取り出す取出口を備えたものが知られている（例えば、特許文献１参照）
【先行技術文献】
【特許文献】
【０００４】
【特許文献１】米国特許出願公開第２０１５／０２９５３９４号明細書
【発明の概要】
【発明が解決しようとする課題】
【０００５】
光ファイバを固定する際に、光ファイバを保護する保護チューブを凹部に差し込んで、保護チューブを把持させることがある。但し、同じ凹部に複数の保護チューブを差し込むと、凹部が広がることによって上側の保護チューブの把持力が弱くなるおそれがある。
【０００６】
本発明は、凹部に複数の保護チューブを差し込んだときに、把持力を維持することを目的とする。
【課題を解決するための手段】
【０００７】
上記目的を達成するための主たる発明は、光ケーブルの端部を固定する第１固定部と、前記光ケーブルから分岐した光ファイバを保護する保護チューブを固定する第２固定部と、を備え、前記第２固定部は、複数段に並べた前記保護チューブを把持する把持用プレートを有し、前記把持用プレートには、複数の突出部を有する凹部が形成されており、前記凹部に複数本の前記保護チューブを並べて差し込んだとき、前記突出部が各段の前記保護チューブをそれぞれ把持し、前記把持用プレートは、前記保護チューブの長手方向に並ぶ複数枚のプレートから構成されており、各段の前記保護チューブを把持する前記突出部は、それぞれ別のプレートに形成されていることを特徴とする分岐部材である。
【０００８】
本発明の他の特徴については、後述する明細書及び図面の記載により明らかにする。
【発明の効果】
【０００９】
本発明によれば、凹部に複数の保護チューブを差し込んだときに、把持力を維持することができる。
【図面の簡単な説明】
【００１０】
【図１】図１Ａは、分岐部材１の斜視図であり、図１Ｂは、蓋部４を外した状態での分岐部材１の斜視図である。
【図２】分岐部材１の分解斜視図である。
【図３】第２固定部３０の斜視図である。
【図４】図４Ａは、第２固定部３０の側面図であり、図４Ｂは、図４Ａの矢印で示す部位を上から見た図である。
【図５】把持用プレート３２の３枚のプレート（上段把持用プレート３２１、中段把持用プレート３２２、下段把持用プレート３２３）の説明図である。
【図６】プレート収容部３５の構成の説明図である。
【図７】第１固定部１０の斜視図である。
【図８】図８Ａは、本実施形態の第１固定部１０と光ケーブル５０（太・細）との位置関係を示す図であり、図８Ｂは、比較例の固定部１０´と光ケーブル５０（太・細）との位置関係を示す図である。
【図９】接着剤の注入時の様子を示す図である。
【図１０】図１０Ａは蓋部４の断面図であり、図１０Ｂは接着剤注入時の蓋部４の断面図である。
【図１１】注入口４１とキャップ４２の挿入部４２Ａの形状の説明図である。
【図１２】光ケーブル５０の断面図である。
【図１３】ラック１１０の正面図である。
【発明を実施するための形態】
【００１１】
後述する明細書及び図面の記載から、少なくとも以下の事項が明らかとなる。
【００１２】
光ケーブルの端部を固定する第１固定部と、前記光ケーブルから分岐した光ファイバを保護する保護チューブを固定する第２固定部と、を備え、前記第２固定部は、複数段に並べた前記保護チューブを把持する把持用プレートを有し、前記把持用プレートには、複数の突出部を有する凹部が形成されており、前記凹部に複数本の前記保護チューブを並べて差し込んだとき、前記突出部が各段の前記保護チューブをそれぞれ把持し、前記把持用プレートは、前記保護チューブの長手方向に並ぶ複数枚のプレートから構成されており、各段の前記保護チューブを把持する前記突出部は、それぞれ別のプレートに形成されていることを特徴とする分岐部材が明らかとなる。
このような分岐部材によれば、凹部に複数の保護チューブを差し込んだときにおいても、凹部が開かないようにすることができ、把持力を維持することができる。
【００１３】
前記把持用プレートには、前記長手方向及び各段の前記保護チューブが並ぶ方向と直交する方向に、前記凹部が複数形成されており、前記第２固定部は、複数の前記凹部に対応して、前記保護チューブの把持部を仕切る複数の隔壁部を有し、各々の前記隔壁部には前記把持用プレートを収容するプレート収容部が設けられており、前記プレート収容部の前記長手方向の位置が、前記隔壁部によって異なることが望ましい。これにより、薄い把持用プレートを、安定に収容することができる。
【００１４】
前記第１固定部は、Ｖ字状のケーブル受け部と、前記ケーブル受け部に設けられたプレート取り付け部と、前記プレート取り付け部に収容された鋸歯つきプレートと、を備え、前記ケーブル受け部から前記鋸歯つきプレートの鋸歯が突出していることが望ましい。これにより、径の異なるケーブルを確実に固定することができる。
【００１５】
前記第１固定部及び前記第２固定部が設けられた本体部と、前記本体部を覆う蓋部とを備え、前記本体部は、前記第１固定部と前記第２固定部の間に、前記光ケーブルから分岐した光ファイバを収容する収容部を有し、前記蓋部は、前記収容部に接着剤を注入するための注入口と、前記注入口に設けられ、前記蓋部の外側から内側への前記接着剤の流入のみを許容する逆止弁と、を有することが望ましい。これにより、収容部に充填された接着剤の逆流を抑制でき、接着剤の漏れを抑制することができる。
【００１６】
前記注入口に挿入される挿入部を有するキャップを備え、前記注入口は多角形であり、前記キャップの前記挿入部は断面円形であることが望ましい。これにより、キャップの取り付け時に、注入口と挿入部との間に隙間が生じるので、内部圧力が高くならずキャップが外れにくい。また、接触部分が少ないためキャップを入れやすい。
【００１７】
前記蓋部は、半透明又は透明であることが望ましい。これにより、収容部への接着剤の充填量を確認することができる。
【００１８】
＝＝＝実施形態＝＝＝
＜全体構成＞
図１３は、ラック１１０の正面図である。
【００１９】
図１３に示す端末処理構造１００は、ラック１１０と、端末機器１２０と、分岐部材１と、光ケーブル５０と、保護チューブ６０とを備えている。
【００２０】
ラック１１０は、端末機器１２０等を載置する部材であり、枠を構成するフレーム１３０と、フレーム１３０に取り付けられた板状のプレート部材１４０を有している。
【００２１】
端末機器１２０は、光モジュール１２１を備えている。
【００２２】
光モジュール１２１は、端末機器１２０の左右に並ぶ部材であり、電気信号と光信号を相互に変換するための部材である。また、光モジュール１２１は、アダプタ１２２を備えている。アダプタ１２２は、光モジュール１２１の前面に上下に並ぶ部材であり、光ファイバに取り付けられた光コネクタを接続するための接続口である。
【００２３】
分岐部材１は、光ケーブル５０の経路に設けられており、プレート部材１４０に固定されている。分岐部材１は光ケーブル５０から複数の光ファイバユニット５１を分岐する部材である。分岐部材１の詳細については後述する。
【００２４】
光ケーブル５０は、光通信において使用するケーブルであり、内部には複数の光ファイバユニット５１（複数の光ファイバ５２）が収容されている（後述）。
【００２５】
保護チューブ６０は、分岐部材１から端末機器１２０までの配線経路において、光ファイバユニット５１を保護する管状部材（チューブ）である。
【００２６】
図１２は、光ケーブル５０の断面図である。
【００２７】
図に示すように、光ケーブル５０は、断面円形状であり、複数の光ファイバユニット５１と、押え巻きテープ５４と、外被５５と、抗張力体５６を備えている。
【００２８】
光ファイバユニット５１は、光ファイバ５２とバンドル材５３を有している。
【００２９】
光ファイバ５２は、光信号を伝送するための線状の部材であり、光通信の伝送路として用いられるものである。１つの光ファイバユニット５１には、複数本の光ファイバ５２が含まれている。
【００３０】
バンドル材５３は、複数の光ファイバ５２を束ねる部材であり、紐状・帯状の部材である。バンドル材５３は、光ファイバ５２の束（複数の光ファイバ５２）に螺旋状又はＳＺ状に巻き付けられる。
【００３１】
押え巻きテープ５４は、複数の光ファイバユニット５１を束ねる部材であり、複数の光ファイバユニット５１を覆っている。これにより、外被５５を構成する溶融樹脂と、光ファイバユニット５１とを隔てている。
【００３２】
外被５５は、押え巻きテープ５４（換言すると複数の光ファイバユニット５１）の外側を被覆する部材であり、本実施形態では溶融樹脂によって形成されている。
【００３３】
抗張力体５６は、外被５５に埋設されており、光ファイバ５２の延在方向（長手方向）に沿って配設されている。抗張力体５６は、押え巻きテープ５４で束ねられた複数の光ファイバユニット５１を挟むように一対設けられている。なお、外被５５に、引き裂き紐（図中の符号５７）や、引き裂き紐の位置を示す突起（図中の符号５８）など、他の部材（部位）が設けられていてもよい。
【００３４】
＜分岐部材１の構成＞
図１Ａは、分岐部材１の斜視図である。図１Ｂは、蓋部４を外した状態での分岐部材１の斜視図である。また、図２は、分岐部材１の分解斜視図である。なお、図１Ｂでは光ケーブル５０から分岐された複数の光ファイバユニット５１の図示を省略している。
【００３５】
以下の説明では、図１Ａに示すように各方向を定義する。すなわち、分岐部材１の幅方向をＸ方向とし、３本（３段）の保護チューブ６０の並ぶ方向をＹ方向とし、光ケーブル５０の長手方向（光軸方向）をＺ方向とする。
【００３６】
分岐部材１は、前述したように、光ケーブル５０から複数の光ファイバユニット５１を分岐する部材である。言い換えると、分岐部材１は、光ケーブル５０と光ケーブル５０から分岐された複数の光ファイバユニット５１との分岐部を保持する部材である。本実施形態の分岐部材１は、本体部２と蓋部４とを備えている。
【００３７】
本体部２は、第１固定部１０と、収容部２０と、第２固定部３０とを有している。
【００３８】
第１固定部１０は、光ケーブル５０の端部を固定する部位である。なお、第１固定部１０の詳細については後述する。
【００３９】
収容部２０は、第１固定部１０と第２固定部３０との間に設けられており、光ケーブル５０の分岐部（複数の光ファイバユニット５１）を収容する部位である。また、収容部２０は、接着剤（不図示）を充填する充填部でもある。なお、接着剤は、収容部２０に収容された複数の光ファイバユニット５１を固定するために注入される。接着剤は、例えば、樹脂系の弾性接着剤であり、充填時には液体で、時間の経過に伴って固化する。
【００４０】
第２固定部３０は、光ファイバユニット５１を挿通した保護チューブ６０を把持（固定）する。ここでは、Ｙ方向に３本１列として、Ｘ方向に４列で合計１２本の保護チューブ６０を把持する。但し、１列の保護チューブ６０の数、幅方向（Ｘ方向）に並ぶ列の数は、これに限られない。
【００４１】
第２固定部３０は、ストッパ３１と、把持用プレート３２と、仕切部３３と、ストッパ収容部３４と、プレート収容部３５とを備えている。
【００４２】
ストッパ３１は、接着剤の漏洩を防止するための部材であり、ＸＹ平面に平行な板状の部材である。本実施形態のストッパ３１は柔軟性を有するスポンジで形成されている。ストッパ３１は切込部３１Ａと挿通穴３１Ｂを備えている。
【００４３】
切込部３１Ａは、ストッパ３１においてＹ方向に沿って形成されたスリットである。ストッパ３１には４つの切込部３１ＡがＸ方向に並んでいる。この切込部３１Ａに保護チューブ６０が差し込まれることになる。本実施形態では、１つの切込部３１Ａに対して３つの保護チューブ６０が差し込まれる。
【００４４】
挿通穴３１Ｂは、保護チューブ６０を挿通させる穴であり、切込部３１Ａに差し込まれた保護チューブ６０を所定位置に保持する。本実施形態ではＹ方向に３本の保護チューブを並べる（３段に配置する）ため、１つの切込部３１Ａに３つの挿通穴が形成されている。
【００４５】
把持用プレート３２は、保護チューブ６０を把持することにより保護チューブ６０の位置ずれを抑制する部材である。本実施形態の把持用プレート３２は、くし歯状の金属板であり、４つの凹部３２ＡがＸ方向に並んでいる。また各凹部３２Ａには、それぞれ、保護チューブ６０を３段に並べて配置できる。凹部３２Ａに保護チューブ６０を差し込むと、凹部３２Ａの突出部が保護チューブ６０に食い込む。これにより、保護チューブ６０を把持でき、位置ずれを抑制できる。本実施形態では、把持用プレート３２は３枚のプレートで構成されている（後述）。
【００４６】
仕切部３３（隔壁部）は、保護チューブ６０の把持部をＸ方向に仕切る壁状の部位であり、把持用プレート３２の凹部３２Ａに対応して形成されている。
【００４７】
ストッパ収容部３４は、ストッパ３１を収容する部位であり、第２固定部３０において収容部２０に近い側の端部に設けられている。
【００４８】
プレート収容部３５は、把持用プレート３２を収容する部位であり、仕切部３３のスリット状の溝で構成されている（後述）。
【００４９】
蓋部４は、半透明な部材で構成されている。これにより、本体部２の収容部２０への接着剤の充填量を確認することができる。なお、本実施形態の蓋部４は半透明であるが、これには限られず、透明であってもよい。また、蓋部４には接着剤の充填量の目印となる目盛（目盛４Ａ及び目盛４Ｂ）が設けられている。目盛４Ａは、分岐部材１（本体部２及び蓋部４）を図９のように配置する場合（すなわち、第１固定部１０を鉛直上側、第２固定部３０を鉛直下側に配置する場合）の目盛である。また、目盛４Ｂは、分岐部材１を図９と上下逆に配置する場合の目盛である。
【００５０】
蓋部４は、本体部２を覆う部材であり、注入口４１と、キャップ４２とを備えている。また、後述するように、蓋部４は、逆止弁４３と、ねじ４４と、ガイドピン４５とを備えている（図１０参照）。
【００５１】
＜第２固定部３０の構成＞
図３は、第２固定部３０の斜視図である。また、図４Ａは、第２固定部３０の側面図であり、図４Ｂは、図４Ａの矢印で示す部位を上から見た図である。また、図５は、把持用プレート３２の３枚のプレート（上段把持用プレート３２１、中段把持用プレート３２２、下段把持用プレート３２３）の説明図である。また、図６は、プレート収容部３５の構成の説明図である。なお、ここでは、Ｙ方向のうち凹部３２Ａの底側（保護チューブ６０の差し込み方向の側）を「下」とし、その反対側を「上」とする。
【００５２】
前述したように、第２固定部３０は、Ｙ方向（上下）に３段に並べた保護チューブ６０を把持する把持用プレート３２を有している。把持用プレート３２には、凹部３２Ａが、Ｘ方向に複数（本実施形態では４つ）並んで形成されている。各凹部３２Ａは、内側に突出する３つの突出部（上段用突出部３２１Ｔ、中段用突出部３２２Ｔ、下段用突出部３２３Ｔ）を有している。図４Ａに示すように、凹部３２Ａに３本の保護チューブ６０を並べて差し込んだとき、各突出部（上段用突出部３２１Ｔ、中段用突出部３２２Ｔ、下段用突出部３２３Ｔ）が、それぞれ、対応する保護チューブ６０を把持する。
【００５３】
また、本実施形態では、把持用プレート３２は、図４Ｂに示すように、Ｚ方向（保護チューブ６０の長手方向）に並ぶ３枚のプレート（上段把持用プレート３２１、中段把持用プレート３２２、下段把持用プレート３２３）から構成されている。
【００５４】
上段把持用プレート３２１は、図５に示すように、上段用突出部３２１Ｔと突起３２１Ｋを有している。
【００５５】
上段用突出部３２１Ｔは、凹部３２Ａに差し込まれる上下３段の保護チューブ６０のうちの上段のもの（すなわち、最後に差し込まれる保護チューブ６０）に対応する位置において内側に突出している。
【００５６】
突起３２１Ｋは、上段把持用プレート３２１の上端部において外側に突出する返しである。
【００５７】
中段把持用プレート３２２は、図５に示すように、中段用突出部３２２Ｔと突起３２２Ｋを有している。
【００５８】
中段用突出部３２２Ｔは、上段把持用プレート３２１の上段用突出部３２１Ｔの形成位置よりも下側に設けられている。より具体的には、中段用突出部３２２Ｔは、凹部３２Ａに差し込まれる上下３段の保護チューブ６０のうちの中段のもの（すなわち、２番目に差し込まれる保護チューブ６０）に対応する位置において内側に突出している。
【００５９】
突起３２２Ｋは、中段把持用プレート３２２の上端部において外側に突出する返しである。
【００６０】
下段把持用プレート３２３は、図５に示すように、下段用突出部３２３Ｔと突起３２３Ｋを有している。
【００６１】
下段用突出部３２３Ｔは、中段把持用プレート３２２の中段用突出部３２２Ｔの形成位置よりも下側に設けられている。より具体的には、下段用突出部３２３Ｔは、凹部３２Ａに差し込まれる上下３段の保護チューブ６０のうちの下段のもの（すなわち、最初に差し込まれる保護チューブ６０）に対応する位置において内側に突出している。
【００６２】
突起３２２Ｋは、中段把持用プレート３２２の上端部において外側に突出する返しである。
【００６３】
以上の３枚のプレートをＺ方向に並べて重ねると、図３及び図４Ａに示すように、凹部３２Ａに上段用突出部３２１Ｔと、中段用突出部３２２Ｔと、下段用突出部３２３Ｔとが上下にずれて配置される。そして、凹部３２Ａに３本の保護チューブ６０を並べて差し込んだとき、下段の保護チューブ６０は下段用突出部３２３Ｔ（下段把持用プレート３２３）に把持され、中段の保護チューブ６０は中段用突出部３２２Ｔ（中段把持用プレート３２２）に把持され、上段の保護チューブ６０は上段用突出部３２１Ｔ（上段把持用プレート３２１）に把持される。
【００６４】
仮に、把持用プレート３２を１枚のプレートで構成し、その１枚のプレートの凹部に、上下の位置の異なる３つの突出部を設けると、複数の保護チューブ６０を差し込むことにより、凹部が広がってしまい上側の保護チューブ６０の把持力が弱くなるおそれがある。
【００６５】
これに対し、本実施形態では、各段の保護チューブ６０を把持する突出部がそれぞれ別のプレート（上段把持用プレート３２１、中段把持用プレート３２２、下段把持用プレート３２３）に形成されているので、凹部３２Ａに３本の保護チューブ６０を差し込んだときにおいても、把持力を維持することができる。
【００６６】
また、３枚のプレートを重ねると、突起３２１Ｋ、突起３２２Ｋ、突起３２３Ｋが重なる。この突起（突起３２１Ｋ、突起３２２Ｋ、突起３２３Ｋ）により、把持用プレート３２の各プレートをプレート収容部３５から抜けにくくすることができる。
【００６７】
なお、本実施形態の把持用プレート３２を構成する３枚のプレート（上段把持用プレート３２１、中段把持用プレート３２２、下段把持用プレート３２３）は、それぞれ厚さが０．５ｍｍ程度であり、３枚重ねたとしても非常に薄い。
【００６８】
一方、把持用プレート３２を収容するプレート収容部３５は、Ｘ方向に並ぶ仕切部３３に設けられたスリット状の溝で構成されており、金型成型によって形成されている。上述したように、把持用プレート３２の厚さが薄いため、その厚さに対応するように仕切部３３にプレート収容部３５（スリット）を金型成型することが困難である。プレート収容部３５を広く形成すると、把持用プレート３２ががたついてしまうおそれがある。
【００６９】
そこで、本実施形態では、図６に示すように、各仕切部３３におけるプレート収容部３５の形成位置（Ｚ方向の位置）をずらしている。すなわち、各仕切部３３のプレート収容部３５は、Ｚ方向の位置が異なっている。
【００７０】
例えば、図６の破線の間隔ｄ（Ｚ方向の間隔）を金型成型で形成可能なスリットの最小間隔とすると、仕切部３３のプレート収容部３５の形成位置（スリットの位置）をずらすことにより、間隔ｄよりも狭い範囲に把持用プレート３２（３枚のプレート）を収容し保持することができる。すなわち、プレート収容部３５の溝よりも薄い把持用プレート３２を、安定に収容することができる。
【００７１】
＜第１固定部１０の構成＞
図７は、第１固定部１０の斜視図である。以下、図７及び図２を参照しつつ第１固定部１０の構成について説明する。
【００７２】
第１固定部１０は、受け部１１（ケーブル受け部に相当）と、鋸歯プレート１２（鋸歯つきプレートに相当）と、把持部材１３と、ストッパ１４と、ストッパ収容部１５とを備えている。
【００７３】
受け部１１は、光ケーブル５０を固定する部位であり、Ｖ溝状に形成されている。また、受け部１１には、プレート収容部１１Ａ（プレート取り付け部に相当）が設けられている。
【００７４】
プレート収容部１１Ａは、鋸歯プレート１２を収容するために受け部１１に形成されたスリットである。本実施形態では、図７に示すように、プレート収容部１１ＡはＺ方向に間隔を空けて３つ設けられている。この３つのプレート収容部１１Ａに、それぞれ、鋸歯プレート１２が収容される。
【００７５】
鋸歯プレート１２は、受け部１１のプレート収容部１１Ａに着脱可能な金属板である。鋸歯プレート１２は、Ｖ溝状の凹部１２Ａと、凹部１２Ａから突出した鋸歯１２Ｂを有している。
【００７６】
凹部１２Ａの断面形状は、受け部１１の断面形状とほぼ同じ（Ｖ溝状）であり、鋸歯プレート１２を受け部１１のプレート収容部１１Ａに収容すると、図７に示すように、鋸歯１２Ｂが受け部１１から突出する。
【００７７】
鋸歯１２Ｂは、光ケーブル５０を固定させるため光ケーブル５０の外被５５に食い込ませる部位である。なお、鋸歯１２Ｂを受け部１１と一体成型（樹脂による一体成型）してもよいが、その場合、歯が丸まり光ケーブル５０の把持力が低下するおそれがある。本実施形態では、鋸歯プレート１２として金属板を用いて、鋸歯１２Ｂを金属で構成しているので、歯が丸まりにくい。よって、光ケーブル５０の把持力の低下を抑制できる。
【００７８】
なお、本実施形態では、図２及び図７に示すように、第１固定部１０に３枚の鋸歯プレート１２（３つのプレート収容部１１Ａ）が設けられているが、鋸歯プレート１２（及びプレート収容部１１Ａ）の数はこれには限られない。
【００７９】
把持部材１３は、受け部１１との間に光ケーブル５０を挟んで把持するための部材である。把持部材１３は、ねじ１３Ａによって本体部２（第１固定部１０）に取り付けられている。
【００８０】
ストッパ１４は、接着剤の漏洩を防止する部材であり、ＸＹ平面に平行な板状の部材である。ストッパ１４は、ストッパ３１と同様に、柔軟性を有するスポンジで形成されている。ストッパ１４は切込部１４Ａと挿通穴１４Ｂを備えている。
【００８１】
切込部１４Ａは、ストッパ１４においてＹ方向に沿って形成されたスリットである。ストッパ１４には切込部１４Ａが１つ形成されており、この切込部１４Ａに光ケーブル５０が差し込まれる。
【００８２】
挿通穴１４Ｂは、光ケーブル５０を挿通させる穴であり、切込部１４Ａの端部に形成されている。そして、挿通穴１４Ｂは、切込部１４Ａに差し込まれた光ケーブル５０を所定位置に保持する。
【００８３】
ストッパ収容部１５は、ストッパ１４を収容する部位であり、第１固定部１０において収容部２０に近い側の端部に設けられている。
【００８４】
図８Ａは、本実施形態の第１固定部１０と光ケーブル５０（太・細）との位置関係を示す図であり、図８Ｂは、比較例の固定部１０´と光ケーブル５０（太・細）との位置関係を示す図である。なお、図８Ａ及び図８Ｂにおいて、太径の光ケーブル５０を実線で示し、細径の光ケーブル５０を破線で示している。
【００８５】
比較例の固定部１０´は、受け部１１´が円弧状に形成されている。このため、受け部１１´の内面と光ケーブル５０が一点で接触している。このため、比較例では細い光ケーブル５０の把持が困難である。つまり、径の異なる光ケーブルに対応し難い。
【００８６】
これに対し、本実施形態の第１固定部１０では、受け部１１がＶ溝状であるため、光ケーブル５０が細くなっても、鋸歯１２Ｂを光ケーブル５０に食い込ませることができる。これにより、光ケーブル５０の径に関わらず、光ケーブル５０を３点支持することが可能である（但し、把持部材１３の交換は必要である）。このように、本実施形態では、径の異なる光ケーブル５０を第１固定部１０に確実に固定することが可能である。
【００８７】
＜蓋部４＞
図９は、接着剤の注入時の様子を示す図である。図９においてＺ方向は鉛直方向であり、分岐部材１に対して光ケーブル５０のある側が鉛直上側、保護チューブ６０のある側が鉛直下側である。図の破線の矢印は、収容部２０に注入された接着剤の広がりを示している。また、図１０Ａは蓋部４の断面図であり、図１０Ｂは接着剤注入時の蓋部４の断面図である。また、図１１は、注入口４１とキャップ４２の挿入部４２Ａの形状の説明図である。
【００８８】
蓋部４は、注入口４１と、キャップ４２と、逆止弁４３と、ねじ４４と、ガイドピン４５とねじ穴４６とを備えている。
【００８９】
注入口４１は、収容部２０に接着剤を注入するための開口部であり、蓋部４において、本体部２の収容部２０に対応する位置に設けられている。また、注入口４１は正八角形に形成されている（図１１参照）。
【００９０】
キャップ４２は、注入口４１を塞ぐ部材であり、注入口４１に挿入される挿入部４２ａを有している。挿入部４２ａは断面が円形の円柱形状である。
【００９１】
このように本実施形態では、注入口４１は正八角形であり、キャップ４２の挿入部４２ａは断面円形である。よって、注入口４１にキャップ４２を取り付けた時（挿入部４２ａを挿入した時）、図１１に示すように、注入口４１と挿入部４２ａとの間に隙間が形成される。
【００９２】
仮に、隙間が無い場合（例えば、挿入部と注入口の形状がともに円形の場合）、キャップ４２取り付け時に内部圧力が高くなり、キャップ４２が外れやすくなる。また、接触部分が多いためキャップ４２を入れにくい。これに対し、本実施形態では、キャップ４２の取り付け時に、注入口４１と挿入部４２ａとの間に隙間が生じるので、内部圧力が高くならずキャップ４２が外れにくい。また、接触部分が少ないためキャップ４２を入れやすい。
【００９３】
なお、本実施形態では注入口４１の形状が正八角形であったが、これには限られず、挿入部４２ａとの間に接触部分と隙間ができる形状であればよい。例えば、正六角形でもよい。
【００９４】
逆止弁４３は、弾性変形可能な薄板状の部材である。逆止弁４３は、図１０Ａに示すように、蓋部４の裏面に密着し、内側から注入口４１を塞いでいる。そして、逆止弁４３は、蓋部４の外側から内側（収容部２０側）への接着剤の流入のみを許容する。
【００９５】
逆止弁４３には、ガイド穴（不図示）、及び、ねじ用穴（不図示）がそれぞれ厚さ方向に貫通して形成されている。
【００９６】
ねじ４４は、逆止弁４３のねじ用穴を通して蓋部４のねじ穴４６に螺合している。これにより、逆止弁４３が蓋部４に固定されている。
【００９７】
ガイドピン４５は、蓋部４の裏面から内側に突出する棒状の部材であり、逆止弁４３のガイド穴に挿入されて、逆止弁４３を貫通している。
【００９８】
図１０Ａの状態から、接着剤の注入用部材２００の先端を注入口４１に挿入して逆止弁４３を押圧すると、図１０Ｂに示すように、逆止弁４３はガイドピン４５にガイドされつつ内側に向かって変形する（撓る）。これにより、注入口４１と逆止弁４３との間に隙間ができ、接着剤を収容部２０に注入（充填）することができる。注入用部材２００を抜き取ると、逆止弁４３は、弾性力によって図１０Ａの状態に戻り、注入口４１を塞ぐ。これにより、収容部２０に充填された接着剤の逆流を抑制でき、接着剤の漏れを抑制することができる。
【００９９】
＜小括＞
上記の本実施形態によれば、分岐部材１は、光ケーブル５０の端部を固定する第１固定部１０と、光ケーブル５０から分岐した光ファイバユニット５１を保護する保護チューブ６０を固定する第２固定部３０とを備えている。また、第２固定部３０は、Ｙ方向に３段に並べた保護チューブ６０を把持する把持用プレート３２を有しており、把持用プレート３２には、３つの突出部（上段用突出部３２１Ｔ、中段用突出部３２２Ｔ、下段用突出部３２３Ｔ）を有する凹部３２Ａが形成されている。そして、凹部３２Ａに３本の保護チューブ６０を並べて差し込んだとき、３つの突出部が各段の保護チューブ６０をそれぞれ把持する。さらに、本実施形態の把持用プレート３２は、Ｚ方向（保護チューブ６０の長手方向）に並ぶ３枚のプレート（上段把持用プレート３２１、中段把持用プレート３２２、下段把持用プレート３２３）から構成されており、各段の保護チューブ６０を把持する突出部は、それぞれ別のプレートに形成されている。
これにより、上段の保護チューブ６０は、上段把持用プレート３２１（上段用突出部３２１Ｔ）に把持され、中段の保護チューブ６０は、中段把持用プレート３２２（中段用突出部３２２Ｔ）に把持され、下段の保護チューブ６０は、下段把持用プレート３２３（下段用突出部３２３Ｔ）に把持される。よって、凹部３２Ａに３本の保護チューブ６０を差し込んだときにおいても、凹部３２Ａが開かないようにすることができ、各保護チューブ６０に対して、把持力を維持することができる。
【０１００】
また、本実施形態によれば、把持用プレート３２には、Ｘ方向に凹部３２Ａが４つ形成されており、第２固定部３０は、４つの凹部３２Ａに対応して、保護チューブ６０の把持部を仕切る複数の仕切部３３を有している。各々の仕切部３３には把持用プレート３２を収容するプレート収容部３５が設けられており、プレート収容部３５のＺ方向の位置が、仕切部３３によって異なっている。これにより、プレート収容部３５の溝よりも薄い把持用プレート３２を、安定に収容することができる。
【０１０１】
また、本実施形態によれば、第１固定部１０は、Ｖ字状の受け部１１と、受け部１１に設けられたプレート収容部１１Ａと、プレート収容部１１Ａに収容された鋸歯プレート１２を備えている。そして、プレート収容部１１Ａから鋸歯プレート１２の鋸歯１２Ｂが突出している。これにより、光ケーブル５０の径に関わらず、光ケーブル５０を３点支持できるので、径の異なる光ケーブル５０を第１固定部１０に確実に固定することが可能である。
【０１０２】
また、本実施形態によれば、分岐部材１は、第１固定部１０及び前記第２固定部３０が設けられた本体部２と、本体部２を覆う蓋部４とを備えている。本体部２は、第１固定部１０と第２固定部３０の間に、光ケーブル５０から分岐した光ファイバユニット５１を収容する収容部２０を有している。また、蓋部４は、収容部２０に接着剤を注入するための注入口４１と、注入口４１に設けられ、蓋部４の外側から内側への接着剤の流入のみを許容する逆止弁４３を有している。これにより、収容部２０に充填された接着剤の逆流を抑制でき、接着剤の漏れを抑制することができる。
【０１０３】
また、本実施形態によれば、注入口４１に挿入される挿入部４２Ａを有するキャップ４２を備えており、注入口４１は正八角形であり、キャップ４２の挿入部４２Ａは断面円形である。これにより、キャップ４２の取り付け時に、注入口４１と挿入部４２ａとの間に隙間が生じるので、内部圧力が高くならずキャップ４２が外れにくい。また、接触部分が少ないためキャップ４２を入れやすい。
【０１０４】
また、本実施形態によれば、蓋部４は半透明な部材で構成されている（半透明である）。これにより、収容部２０への接着剤の充填量を確認することができる。
【０１０５】
＝＝＝その他の実施形態＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【０１０６】
前述の実施形態では、分岐部材１を図９のように配置していたが、上下逆でもよい。また、Ｚ方向が水平面と平行になるように（すなわち横向きに）配置してもよい。
【符号の説明】
【０１０７】
１  分岐部材、２  本体部、４  蓋部、
１０  第１固定部、１１  受け部、１１Ａ  プレート収容部、
１２  鋸歯プレート、１２Ａ  凹部、１２Ｂ  鋸歯、
１３  把持部材、１３Ａ  ねじ
２０  収容部、
３０  第２固定部、３１  ストッパ、３２  把持用プレート、
３３  仕切部、３４  ストッパ収容部、３５  プレート収容部、
４１  注入口、４２  キャップ、４２Ａ  挿入部、
４３  逆止弁、４４  ねじ、４５  ガイドピン、４６  ねじ穴、
５０  光ケーブル、５１  光ファイバユニット、５２  光ファイバ、
５３  バンドル材、５５  外被、５６  抗張力体、
５７  引き裂き紐、５８  突起、
１００  端末処理構造、１１０  ラック、１２０  端末機器、
１３０  フレーム、１４０  プレート部材、
２００  注入用部材、
３２１  上段把持用プレート、３２１Ｔ  上段用突出部、３２１Ｋ  突起、
３２２  中段把持用プレート、３２２Ｔ  中段用突出部、３２２Ｋ  突起、
３２３  下段把持用プレート、３２３Ｔ  下段用突出部、３２３Ｋ  突起
【図１】
2019139015.tif 000003
【図２】
2019139015.tif 000004
【図３】
2019139015.tif 000005
【図４】
2019139015.tif 000006
【図５】
2019139015.tif 000007
【図６】
2019139015.tif 000008
【図７】
2019139015.tif 000009
【図８】
2019139015.tif 000010
【図９】
2019139015.tif 000011
【図１０】
2019139015.tif 000012
【図１１】
2019139015.tif 000013
【図１２】
2019139015.tif 000014
【図１３】
2019139015.tif 000015